(57)【要約】【課題】  シートバックの表面に皺、タルミがない外観品質に優れ、且つ組立性のよいシートバックを提供することである。【手段】  シートバックＳＢの発泡体製パッド３の前面に前表皮片１を接着し、パッド３の側面を側表皮片２、パッド３の背面を背表皮片４で各々被覆し、側表皮片２と背表皮片４を不織布に合成樹脂材を含浸させて凹凸状に成形した成形不織布で形成したことを特徴とする。【選択図】            図２
2010063686.tif 000002
【特許請求の範囲】
【請求項１】
発泡体製パッドと、このパッドと前面側を被覆する前表皮片と、パッドの側面及び背面を被覆する後表皮片とを有し、該後表皮片は合成樹脂材を含浸させて凹凸状に成形した成形不織布で形成され、前記前表皮片に一体に端末を縫着してなることを特徴とするシートバック。
【請求項２】
発泡体製パッドと、このパッドの前面に接着する前表皮片と、前表皮片の少なくとも下辺を除く３周辺に縫着されパッドの側面又は側面からパッドの背面周囲を被覆する帯状の側表皮片と、パッドの背面を被覆し前記側表皮片に固着される背表皮片を有し、該背表皮片と側表皮片とを合成樹脂材を含浸させて成形した成形不織布で形成してなる請求項１記載のシートバック。
【請求項３】
前記前表皮片の表面周囲に、前記側表皮片を裏返して縫着した後、この側表皮片付の前表皮片を前記パッドの前面に接着し、次に側表皮片を折り返してパッドの側面又は側面から背面の周囲を被覆した後、前記背表皮片を側表皮片に一体に固着して組立るシートバックの組立方法。
【発明の詳細な説明】
【技術分野】
【０００１】
本発明は自動車用シートのシートバックとその組立方法に関する。
【背景技術】
【０００２】
従来のシートバックは、発泡体製パッドを袋状に縫製した表皮材で被覆してシートバックを組付けるものがある。
【０００３】
また、この袋状の表皮材をパッドに組付け易いように表皮材でスリットを設け、表皮材でパッドを被覆した後、スリットに設けたスライドファスナーでスリットを閉口するものも開示されている（例えば、特開２００７−３０７１０９号公報参照）。
【０００４】
また、パッドの背面を除く部分を表皮材で、また、パッドの背面をバックボードで各々被覆するものもある。
【特許文献１】特開２００７−３０７１０９号公報
【発明の開示】
【発明が解決しようとする課題】
【０００５】
従って、前記袋状に縫製した表皮材でパッドに被せるものは、全体が柔軟性を有する織物地などで形成されている。そのため、曲面を有するパッドに、表皮材を皺、タルミなく張設するには熟練を要し、作業性が悪い不具合があった。
【０００６】
一方、パッドの背面にバックボードを有するものは、パッドの前面及び側面を被覆する表皮材の端末をパッド側に固定する固定作業に工数を要する不具合がある。
【０００７】
そこで、本発明はパッドに表皮材を被せた際に皺、タルミがないシートバックを提供し、且つそのシートバックを簡単、容易に組立できるようにすることを目的とする。
【課題を解決するための手段】
【０００８】
以上の目的を達成するための本請求項１の発明は、発泡体製パッドと、このパッドと
前面側を被覆する前表皮片と、パッドの側面及び背面を被覆する後表皮片とを有し、該後表皮片は合成樹脂材を含浸させて凹凸状に成形した成形不織布で形成され、前記前表皮片に一体に端末を縫着してなる構成である。
【０００９】
以上の前表皮片は、従来この種のシートバックに使用されている柔軟性を有する織物地などの表皮材で、パッドの前面に接着などで被覆するのが好ましい。また、後表皮片は、パッドの側面から背面の外形形状に一致するように凹凸状に成形不織布で成形されている。そのため、パッドの全面に、前表皮片、後表皮片が密着できる。
【００１０】
本請求項２の発明は、発泡体製パッドと、このパッドの前面に接着する前表皮片と、前表皮片の少なくとも下辺を除く３周辺に縫着されパッドの側面又は側面からパッドの背面周囲を被覆する帯状の側表皮片と、パッドの背面を被覆し前記側表皮片に固着される背表皮片を有し、該背表皮片と側表皮片とを合成樹脂材を含浸させて成形した成形不織布で形成する構成である。
【００１１】
以上の側表皮片は背表皮片に対して柔軟性を有する成形不織布で形成するのが好適であり、これにより、パッドの側面を被覆する側表皮片の感触がよく、パッドの背面を被覆する背表皮片の保形性が良好となる。
【００１２】
本請求項３の発明は、前記前表皮片の表面周囲に、前記側表皮片を裏返して縫着した後、この側表皮片付の前表皮片を前記パッドの前面に接着し、次に側表皮片を折り返してパッドの側面又は側面から背面の周囲を被覆した後、前記背表皮片を側表皮片に一体に固着して組立る構成である。
【発明の効果】
【００１３】
本請求項１の発明によれば、着座者が着座した際、身体が接触しないシートバックの側面、背面は成形不織布で形成されているため、シートバックの外側面、背裏面に、皺、タルミが生じないし、パッドの側面、背面に合致する形状に後表皮片を形成できる。そのため、外観品質が良いシートバックを提供できる。また前、前表皮片に後表皮片を縫着すればよいため、前記従来品の如く、スライドファスナーなどが不要となる。
【００１４】
本請求項２の発明は、更に、側表皮片を背表皮片に対して柔らかいなど材質が異なる成形不織布を使用できるので、シートバックの外側面の感触が良く、シートバックの背裏面の保形性が良いため、後席乗員用のニースペースなどを一体成形できる。
【００１５】
本請求項３の発明によれば、前記外観品質に優れたシートバックを簡単且つ容易に組立ることができる。
【発明を実施するための最良の形態】
【００１６】
以下、本発明に係るシートバック及びその組立方法を図面に基づいて説明する。
【００１７】
図１、図２は本発明に係るシートバックＳＢを示し、シートクッションＳＣに取付けられている。図中１はシートバックの前表面を構成する前表皮片で、この前表皮片１は従来のシートバックの表皮材として使用されている織物地、レザー、合成皮革など柔軟性を有するもので、略シートバックの外形形状にモールド成形した発泡体製パッド３の凹凸状曲面を有する前面に接着剤１０に接着されている。図中１１はパッド３の底面を被覆するまち部を示す。
【００１８】
図示するパッド３の側面又は側面から背面周囲に渉って側表皮片２が被覆され、パッド３の背面全体及び側面の背面側には背表皮片４が設けてある。
【００１９】
以上の側表皮片２と、背表皮片４はいずれも成形不織布で成形されており、この成形不織布は合成樹脂を含浸させて凹凸状にプレスなどで成形したもので、例えば、実開平７−１５４４８号に開示されている材質、成形方法によって成形している。
【００２０】
そして、側表皮片２と背表皮片４とは物性の異なる成形不織布、例えば、側表皮片２
は柔軟性が良く感触を向上させるような材質などで成形している。
、一方、背表皮片４は硬質で保形性を有するようにし、図示するように、凹窪状の後席乗員用ニースペース４０を一体成形している。
【００２１】
従って、側表皮片２と背表皮片４とを成形不織布で形成しているため、パッド３の側面、背面に密着できるように成形できるし、また、シートバックＳＢの外側面、背裏面に皺、タルミが発生しない。
【００２２】
以上の側表皮片２は背表皮片４に接着剤４１で接着され、側表皮片２は前表皮片１の少なくとも３周辺に縫着２０されている。なお、図中４Ａは背表皮片４の折曲部、４Ｂは背表皮片本体を各々示す。
【００２３】
以上の前表皮片１に側表皮片２は、前表皮片１をパッド３に接着する前に、前表皮１の表面３辺の周囲の端末に、帯状の側表皮片２の表面２Ｂが裏になるように裏返して縫着し、前表皮片１をパッド３に接着後、裏返した側表皮片２を表面２Ｂが表になるように折り返し、パッド３の側面を被覆している。このようにすることにより、縫着２０個所がかくされ、シートバックＳＢの外観品質が向上する。
【００２４】
なお、図示する以上の側表皮片２と背表皮片４は、各々別体に、前記成形不織布で成形しているが、この側表皮片２と背表皮片４とを成形不織布で一体成形し、これを後表皮片としても良い。
【００２５】
このようにすることにより、図示する実施例の如く、側表皮片２と背表皮片４とを一体に接着する必要がないし、パッド３に対する被せ作業も簡単になる。
【００２６】
次に、前記図１，２に示すシートバックの組立方法を図３ー図７に基づいて説明する。
【００２７】
図３は、前記前表皮片１に、前記側表皮片２を縫着する前の状態で、側表皮片２は前表皮片１の外周端末に沿うようにＵ字状に形成した帯状の前記成形不織布で形成され、図中２Ａは側表皮片２の裏面、２Ｂは同表面を各々示し、表面２Ｂ側には接着剤が塗布されている。
【００２８】
図４は、前表皮片１の前面に側表皮片２を裏面２Ａが表になるように縫着２０した状態を示し、この前表皮片１の裏面をシートバックＳＢの略外形形状にモールド成形し内部にフレームを有する発泡体製パッド３の前面３Ａに図５に示すように、接着剤１０で接着する。
【００２９】
次に、図６の矢印方向に側表皮片２を表面２Ｂが表になるように、パッド３の側面から背面側に折り返す。
【００３０】
然る後、図７に示すように、パッド３の背面及び側面形状などに凹凸状に成形されている前記背表皮片４の周囲を側表皮片２に加圧、加熱（蒸気）などによって接着する。
【００３１】
これにより、図１、図２に示すシートバックＳＢが組立られる。
【００３２】
従って、パッド３に対する前表皮片１、側表皮片２、背表皮片４の取付を簡単、容易に行なうことができる。
【００３３】
そして、側表皮片２、背表皮片４が成形不織布で形成されているため、パッド３の外形形状に合致するように成形される。従って、パッド３に密着すると共に、皺、タルミなくパッド３に固定でき、外観品質に優れたシートバックを提供できる。
【図面の簡単な説明】
【００３４】
【図１】本発明に係るシートバックの斜視図。
【図２】図１のＢ―Ｂ線断面図。
【図３】本発明に使用する前表皮片と側表皮片を示す斜視図。
【図４】図３に示す前表皮片に側表皮片を縫着してパッドに接着する前の状態を示              す斜視図。
【図５】図４の状態よりパッドに接着した状態を示す斜視図。
【図６】図５のＢ―Ｂ線断面図。
【図７】図５の状態より背表皮片を固着する前の状態を示す斜視図。
【符号の説明】
【００３５】
１…前表皮片、２…側表皮片、３…パッド、４…背表皮片。
【図３】
2010063686.tif 000003
【図４】
2010063686.tif 000004
【図５】
2010063686.tif 000005
【図６】
2010063686.tif 000006
【図７】
2010063686.tif 000007
【図１】
2010063686.tif 000008
【図２】
2010063686.tif 000009